(57)【特許請求の範囲】
【請求項１】
容器収納部に収納された上面開放型の飼育容器の内部へ上方から換気用の清浄空気を吹き込む給気口を前記容器収納部の天井部に設け、
前記飼育容器は、その上縁の両横に設けたつば部を前記容器収納部の天井部に装備のレール部材に係止させるように前記容器収納部の前面開口部から容器収納部内に挿入して、前記レール部材による吊り下げ状態で前記容器収納部に収納する構造にし、
前記容器収納部の前面開口部からの前記容器収納部に対する前記飼育容器の収納操作に伴い、前記飼育容器の挿入奥側の上縁と前記容器収納部の後板との当接、及び、前記レール部材により、前記飼育容器の上面開口部と前記容器収納部の天井部との間の空間が前方にのみ開口する閉塞空間となる構造にしてある動物飼育装置。
【請求項２】
前記容器収納部の部内空気を吸引排気する排気口を設けるとともに、
前記容器収納部の前面開口部を閉塞する状態の気流カーテンを形成するエアカーテン用吹出口を設けてある請求項１記載の動物飼育装置。
【発明の詳細な説明】
【０００１】
【発明の属する技術分野】
本発明は、動物を収容した飼育容器を容器収納部に収納した状態で動物の飼育を行う動物飼育装置に関し、詳しくは、容器収納部に収納された飼育容器内への汚染空気の侵入を防止した状態で動物飼育する動物飼育装置に関する。
【０００２】
【従来の技術】
従来、この種の動物飼育装置において、容器収納部に収納された飼育容器内への汚染空気の侵入を防止するには、飼育容器を蓋の閉塞により密閉となる密閉型にするとともに、容器収納部の前面開口部から収納した飼育容器に連結される給気具と排気具を容器収納部に設け、これら給気具による飼育容器内への換気用清浄空気の供給と排気具による飼育容器内からの排気により、飼育容器内への外部からの汚染空気の侵入を防止した状態で、飼育容器内を清浄雰囲気に保つようにしていた（例えば特公平６−２０１６号参照）。
【０００３】
【発明が解決しようとする課題】
しかし、上記の従来装置では、飼育容器を密閉型とする為、また、飼育容器と給気具及び排気具との連結を要する為、取り扱いが煩雑となり、しかも、飼育容器との連結を要する給気具及び排気具の装備のため構造が複雑になって製作費が嵩む問題もあり、殊に、この種の動物飼育装置では多数の飼育容器を収納するものが多いことから、これら問題が特に顕著になっていた。
【０００４】
この実情に鑑み、本発明の主たる課題は、飼育容器に対する換気構造の合理化により上記問題を解消する点にある。
【０００５】
【課題を解決するための手段】
〔１〕請求項１に係る発明では、容器収納部に収納された上面開放型の飼育容器の内部へ上方から換気用の清浄空気を吹き込む給気口を容器収納部の天井部に設け、
前記飼育容器は、その上縁の両横に設けたつば部を前記容器収納部の天井部に装備のレール部材に係止させるように前記容器収納部の前面開口部から容器収納部内に挿入して、前記レール部材による吊り下げ状態で前記容器収納部に収納する構造にし、
容器収納部の前面開口部からの容器収納部に対する飼育容器の収納操作に伴い、前記飼育容器の挿入奥側の上縁と前記容器収納部の後板との当接、及び、前記レール部材により、前記飼育容器の上面開口部と容器収納部の天井部との間の空間が前方にのみ開口する閉塞空間となる構造にする。
【０００６】
つまり、この構造では、上記給気口からの換気用清浄空気の吹き込みにより飼育容器から空気を溢れ出させる状態にすることで、容器収納部に収納された飼育容器内への汚染空気の侵入を防止して飼育容器内を清浄雰囲気に保つが、上面開放型の飼育容器の内部へ上方から清浄空気を吹き込むだけでは、その吹き込みに伴う誘引により、容器収納部内における飼育容器周りの空気（すなわち、容器収納部の前面開口部からの侵入外部空気を含む空気）が飼育容器の内部に持ち込まれる可能性がある。
【０００７】
これに対し、上記の如く飼育容器の収納操作に伴い、飼育容器の挿入奥側の上縁と容器収納部の後板との当接、及び、前記レール部材により、飼育容器の上面開口部と容器収納部の天井部との間の空間が前方にのみ開口する閉塞空間となるようにすれば、飼育容器の上面開口部と容器収納部の天井部との間の空間周りのうち、前部については、飼育容器内に吹き込んだ清浄空気の上記前方開口からの集中的な溢れ出しをもって、また、側部及び後部については、飼育容器の挿入奥側の上縁と容器収納部の後板との当接、及び、前記レール部材による閉塞をもって、前記の如き誘引による容器周り空気の容器内への持ち込みを防止でき、これにより、容器収納部に収納した上面開放型の飼育容器の内部を上方からの清浄空気の吹き込みだけで確実に清浄雰囲気に保つことができる。
【０００８】
すなわち、このように飼育容器に上方開放型のものを用いながらも、その容器上方からの清浄空気の吹き込みだけで、飼育容器内への汚染空気の侵入を確実に防止して飼育容器内を確実に清浄雰囲気に維持できることにより、密閉型の飼育容器を要して、その飼育容器と給気具及び排気具との連結を要する先述の従来装置に比べ、取り扱いを容易にすることができ、また、構造を簡単にして製作費を安価にすることができる。
【０００９】
〔２〕請求項２に係る発明では、前記容器収納部の部内空気を吸引排気する排気口を設けるとともに、容器収納部の前面開口部を閉塞する状態の気流カーテンを形成するエアカーテン用吹出口を設ける。
【００１０】
これによれば、容器収納部の前面開口部から外部の汚染空気が容器収納部内に侵入することを上記気流カーテンにより阻止できることに加え、前記閉塞空間の前方開口から前方側へ溢れ出す空気（すなわち、飼育容器内に吹き込まれて動物の臭気や動物飼育に伴う発生塵埃を含んだ空気）が容器収納部の前面開口部から外部へ漏出することを、上記気流カーテンによる遮蔽及び上記排気口からの部内空気の吸引排気をもって防止でき、これにより、容器収納部に収納した飼育容器内への汚染空気の侵入を防止することと、動物の臭気や動物飼育に伴う発生塵埃などの外部漏出を防止することとの両面において一層優れた動物飼育装置にすることができる。
【００１１】
【発明の実施の形態】
図１及び図２は棚構造の動物飼育装置（いわゆる動物飼育ラック）を示し、左右の側板１ａと後板１ｂと天板１ｃとからなるラック本体１の内部を複数の棚板２により仕切って上下複数段の容器収納部３を形成し、各段の容器収納部３に対し複数の飼育容器４を左右に並べて収納する構造にしてある。
【００１２】
図３及び図４に示すように、飼育容器４には、網構造の中蓋５を備えるだけで上面開口部４ａが通気上開放された上面開放型のものを用い、各飼育容器４は、その上縁の両横に設けたつば部４ｂを上方の棚板２（最上段の容器収納部３については天板１ｃ）に装備のレール部材６に係止させるように容器収納部３の前面開口部３ａから容器収納部３内に挿入して、レール部材６による吊り下げ状態で容器収納部３に収納するようにしてある。
【００１３】
最下段のものを除く各棚板２及び天板１ｃは清浄空気Ａを導くダクトに兼用し、また、左右の側板１ａのうちの一方（図１において左側の側板）は、給気ダクト７から供給される清浄空気Ａを各棚板２及び天板１ｃの内部風路に導くダクトに兼用してあり、これに対し、各容器収納部３の上方の棚板２ないし天板１ｃ（すなわち、各容器収納部３の天井部）には、それら棚板２や天板１ｃの内部風路を通じて供給される清浄空気Ａを換気用として容器収納部３における後部寄りの上方から各飼育容器４の内部に吹き込む給気口８を形成してある。
【００１４】
また、各容器収納部３の上方の棚板２及び天板１ｃ（各容器収納部３の天井部）の前端部には、それら棚板２や天板１ｃの内部風路を通じて供給される清浄空気Ａを吹き出して、各容器収納部３の前面開口部３ａを閉塞する状態の気流カーテンＳを形成するエアカーテン用の吹出口９を形成してある。
【００１５】
一方、後板１ｂは排気ダクト１０へ排気Ｅを導くダクトに兼用し、この後板１ｂ（すなわち容器収納部３の後壁）には、各容器収容部３の下部から部内空気Ｅを吸引排気する排気口１１を形成してある。
【００１６】
そして、上記の給排気構造に対し、各容器収納部３は、飼育容器４の収納操作に伴い、飼育容器４の挿入奥側の上縁と後板１ｂとの当接、及び、前記のレール部材６により、飼育容器４の上面開口部４ａと容器収納部３の天井部（上方の棚板２ないし天板１ｃ）との間の空間が前方にのみ開口する閉塞空間Ｘとなる構造にしてある。
【００１７】
つまり、本例装置では、給気口８からの換気用清浄空気Ａの吹き込みにより飼育容器４から空気を溢れ出させる状態にすることで、飼育容器内４への汚染空気の侵入を防止して飼育容器４内を清浄雰囲気に保つが、上面開放型の飼育容器４の内部へ上方から清浄空気Ａを吹き込むだけでは、その吹き込みに伴う誘引により、容器収納部３内における飼育容器４周りの空気が飼育容器４の内部に持ち込まれる可能性があることから、上記の如く飼育容器４の上面開口部４ａと容器収納部３の天井部との間の空間が前方にのみ開口する閉塞空間Ｘとなる構造にすることにより、前部については、飼育容器４内に吹き込んだ清浄空気Ａの前方側への集中的な溢れ出しをもって、また、側部及び後部については、飼育容器４の挿入奥側の上縁と後板１ｂとの当接、及び、前記レール部材６による閉塞をもって、誘引による容器周り空気の容器４内への持ち込みを防止し、これにより、上方開放型の飼育容器４を用いながらも、その飼育容器４の内部を上方からの清浄空気Ａの吹き込みだけで確実に清浄雰囲気に保てるようにしてある。
【００１８】
また、容器収納部３の前面開口部３ａから外部の汚染空気が容器収納部３の内部に侵入することを上記気流カーテンＳにより阻止することに加え、上記閉塞空間Ｘの前方開口から溢れ出す空気が容器収納部３の外部へ漏出することを、上記気流カーテンＳによる遮蔽及び上記排気口１１からの部内空気Ｅの吸引排気をもって防止し、これにより、容器収納部３に収納した飼育容器４内への汚染空気の侵入を防止することと、動物の臭気や動物飼育に伴う発生塵埃などの外部漏出を防止することとの両面において、一層優れた性能を発揮するようにしてある。
【００１９】
なお、容器収納部３の前面視において、排気口１１は飼育容器４の後ろに位置する部分よりも飼育容器４どうしの間に位置する部分の方が口数密度（換言すれば開口率）が大きくなるように形成してあり、これにより、気流カーテンＳに用いられた空気、及び、それに随伴する上記閉塞空間Ｘからの前方側への溢れ出し空気が飼育容器４どうしの間を通じて円滑に容器収納部３から排出されるようにしてある。
【００２０】
〔別実施形態〕
次に別実施形態を説明する。
【００２３】
前述の実施形態では、容器収納部の部内空気を排気口から吸引排気するととも、容器収納部の前面開口部を閉塞する状態の気流カーテンを形成するようにしたが、この気流カーテンに代えて、通気孔を形成した扉体を容器収納部の前面開口部に設けてもよく、また、これら気流カーテンや扉体を省略してもよい。
【図面の簡単な説明】
【図１】装置正面図
【図２】装置の側面視断面図
【図３】要部を示す正面視の拡大断面図
【図４】要部を示す側面視の拡大断面図
【符号の説明】
１ｂ 後板
３              容器収納部
３ａ            容器収納部の前面開口部
４              飼育容器
４ａ            飼育容器の上面開口部
４ｂ つば部
６ レール部材
８              給気口
９              エアカーテン用吹出口
１１            排気口
Ａ              清浄空気
Ｓ              気流カーテン
Ｘ              閉塞空間
【図１】
0003725710.tif 000002
【図２】
0003725710.tif 000003
【図３】
0003725710.tif 000004
【図４】
0003725710.tif 000005